Podtech/llm-jp-corpus-v4-ja_patent huggingface dataset:
【手続補正書】
【提出日】令和3年6月17日(2021.6.17)
【手続補正１】
【補正対象書類名】明細書
【補正対象項目名】発明の名称
【補正方法】変更
【補正の内容】
【発明の名称】一斉開放弁とその製造方法
【手続補正２】
【補正対象書類名】特許請求の範囲
【補正対象項目名】全文
【補正方法】変更
【補正の内容】
【特許請求の範囲】
【請求項１】
ボデー内部が連通穴を介して一次側流路と二次側流路とに仕切られ、外部流路に接続された圧力制御室の圧力変化に応じてピストン状弁体が昇降動して連通穴を開閉する一斉開放弁であって、芯金を軟質材で被覆して成形したシートリングが前記連通穴の弁座面に装着され、前記ボデー内に装着した円筒保持体の内周面をピストン状弁体が昇降動すると共に、前記円筒保持体の下端部で前記シートリングが保持され、このシートリングの外周径が前記円筒保持体の下端部内周の内径より大としたことを特徴とする一斉開放弁。
【請求項２】
前記シートリングの外周には、環状外周リブが形成され、この環状外周リブの外径が前記円筒保持体の下端部の内径よりも大径に設けられている請求項１に記載の一斉開放弁。
【請求項３】
前記円筒保持体に少なくとも３つ以上の脚部が設けられ、この脚部の下端内周に前記シートリングを外周側から挟持する係合段部が形成され、この係合段部の段部面で前記シートリングの外周上面を位置決めし、かつ前記係合段部の内周面で前記シートリングの外周面を挟持させて一体化させた請求項１又は２に記載の一斉開放弁。
【請求項４】
前記シートリングの前記芯金との挟着位置における前記軟質材の表裏面に環状リブが形成され、この環状リブで前記弁座面と閉止状態の前記ピストン状弁体とのシール性を維持させた請求項１乃至３の何れか１項に記載の一斉開放弁。
【請求項５】
前記ピストン状弁体の上部中心位置に逆止弁が装着され、この逆止弁は、前記一次側流路から前記圧力制御室へ流体を通過させ、かつ、前記圧力制御室から前記一次側流路への流体の通過を阻止する状態に設けられた請求項１乃至４の何れか１項に記載の一斉開放弁。
【請求項６】
ボデー内部が連通穴を介して一次側流路と二次側流路とに仕切られ、外部流路に接続された圧力制御室の圧力変化に応じてピストン状弁体が昇降動して連通穴を開閉する一斉開放弁であって、前記ボデー内に装着した円筒保持体の内周面を前記ピストン状弁体が昇降動する状態で前記連通穴の弁座面に装着するシートリングを前記円筒保持体の係合段部に対して仮着状態で装着し、前記円筒保持体を前記シートリングと一体化した状態で前記ボデー内に装着させることを特徴とする一斉開放弁の製造方法。
【手続補正３】
【補正対象書類名】明細書
【補正対象項目名】００１４
【補正方法】変更
【補正の内容】
【００１４】
請求項５に係る発明は、ピストン状弁体の上部中心位置に逆止弁が装着され、この逆止弁は、一次側流路から圧力制御室へ流体を通過させ、かつ、圧力制御室から一次側流路への流体の通過を阻止する状態に設けられた一斉開放弁である。
請求項６に係る発明は、ボデー内部が連通穴を介して一次側流路と二次側流路とに仕切られ、外部流路に接続された圧力制御室の圧力変化に応じてピストン状弁体が昇降動して連通穴を開閉する一斉開放弁であって、ボデー内に装着した円筒保持体の内周面をピストン状弁体が昇降動する状態で連通穴の弁座面に装着するシートリングを円筒保持体の係合段部に対して仮着状態で装着し、円筒保持体をシートリングと一体化した状態でボデー内に装着させる一斉開放弁の製造方法である。
【手続補正４】
【補正対象書類名】明細書
【補正対象項目名】００１９
【補正方法】変更
【補正の内容】
【００１９】
請求項５に係る発明によると、逆止弁により、一次側流路から圧力制御室に流体を通過させ、一方、圧力制御室から一次側流路への流体の通過を阻止し、一次側管路と圧力制御室の内圧を同圧に保つように機能する。この逆止弁をピストン状弁体の上面側の中心部に設けることで、鋳造や鍛造によるピストン状弁体の形成が容易になる。
請求項６に係る発明によると、シートリングを円筒保持体に仮着した状態でボデー内に一体に着脱して組込みや取り外し作業が容易となり、ボデーへの円筒保持体の装着時には、その装着と同時にシートリングをボデー内の所定位置に取付けでき、一方、点検時等においては、ボデーから円筒保持体を抜出すことでこの円筒保持体と一体にシートリングを取外してこのシートリングの清掃や交換をおこなえる。しかも、シートリングの装着時には、このシートリングを円筒保持体の係合段部で位置決めし、移動を阻止した状態で円筒保持体にシートリングを一体化でき、シートリングの装着後には、この位置ずれ防止状態で所定位置に配置したシートリングに対し、ピストン状弁体を下降させて所定のシール性を発揮可能になる。
【手続補正書】
【提出日】令和3年6月7日(2021.6.7)
【手続補正１】
【補正対象書類名】明細書
【補正対象項目名】００２２
【補正方法】変更
【補正の内容】
【００２２】
しかも、各モータ１、２のそれぞれの連結側ケーシング側部１１３、２１３を、中間ケーシング３の連結部３２、３２に対して直接連結させて、容易に高精度な軸芯が位置決めセットが成された状態での組付け作業を行うことができるので、送りねじ機構のねじ効率が高くなり、従来諦めざるを得なかった、低トルクなスクローポール永久磁石型ステッピングモータの採用が可能となるだけでなく、第２モータ２にねじ軸部４２が予め螺合セットされた状態であっても、廻り止め軸部４１の視認による位置合わせ挿入が可能な軸孔１ｂ１の端部側に回転規制部４１ａを形成することが可能となり、組付け作業の簡略化と時間短縮を図ることができ、もって、製作の効率化や容易化、製品のコンパクト化やコストダウン等が図られた安価な製品を提供することができる。
【手続補正２】
【補正対象書類名】明細書
【補正対象項目名】００２５
【補正方法】変更
【補正の内容】
【００２５】
また、雌ねじ部３２は、第２モータ２のケーシング２１を形成するケーシング胴部２１１の略中央域、即ち、軸受キャップ２１ａと２１ｂとの軸受間におけるロータカラー２ｂ２の略中央部に配設されているので、モータ駆動による回転負荷を略等分に分担してバランス良く軸受することができ、一方の軸受に負荷が片寄って加わってしまうことを防止することができる。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
1又は複数のメモリと、
1又は複数のプロセッサと、を備え、
前記1又は複数のプロセッサは、
画像データ中の物体の位置を示す点である物体点を設定し、
前記画像データ中の物体が存在する領域の候補である候補領域を検出し、
前記物体点と前記候補領域とに基づいて、前記物体が存在する物体領域を決定する、
物体検出装置。
【請求項２】
前記1又は複数のプロセッサは、
複数の前記候補領域を検出し、前記物体領域の決定は、前記物体点の位置に基づいて前記複数の候補領域のうちから選択された１つの候補領域に基づく、
請求項1に記載の物体検出装置。
【請求項３】
前記1又は複数のプロセッサは、
複数の前記物体点を設定し、
前記物体領域の決定は、前記物体点を有する前記候補領域を検出し、
当該候補領域が他の物体点を有していない場合に選択された当該候補領域に基づく、
請求項1に記載の物体検出装置。
【請求項４】
前記1又は複数のプロセッサは、
同一の前記物体点に対応する複数の前記候補領域が検出された場合に、当該物体点に対応する複数の前記候補領域のうち、前記物体領域として選択されなかった前記候補領域を当該物体点に対応する候補としての前記候補領域から削除する、
請求項2又は請求項3に記載の物体検出装置。
【請求項５】
前記1又は複数のプロセッサは、
ある前記物体点に対応する前記候補領域が他の前記物体点を有する場合、当該候補領域に係る選択を保留し、当該候補領域以外の前記候補領域の選択を実行する、
請求項2乃至請求項4のいずれかに記載の物体検出装置。
【請求項６】
前記1又は複数のプロセッサは、
前記選択を保留した候補領域以外の前記候補領域の選択が完了した後、前記選択を保留した候補領域のうち、所定の条件を満たす候補領域を選択する、
請求項5に記載の物体検出装置。
【請求項７】
前記1又は複数のプロセッサは、
あらかじめ学習された第1モデルに基づいて前記物体点を設定する、
請求項1乃至請求項6のいずれかに記載の物体検出装置。
【請求項８】
前記1又は複数のプロセッサは、
あらかじめ学習された第2モデルに基づいて前記候補領域を検出する、
請求項1乃至請求項7のいずれかに記載の物体検出装置。
【請求項９】
1又は複数のプロセッサにより、
画像データ中の物体の位置を示す点である物体点を設定し、
前記画像データ中の物体が存在する領域の候補である候補領域を検出し、
前記物体点と前記候補領域とに基づいて、前記物体が存在する物体領域を決定する、
物体検出方法。
【請求項１０】
1又は複数のプロセッサに、
画像データ中の物体の位置を示す点である物体点を設定する手段、
前記画像データ中の物体が存在する領域の候補である候補領域を検出する手段、
前記物体点と前記候補領域とに基づいて、前記物体が存在する物体領域を決定する手段、
として機能させるプログラム。
【請求項１１】
複数の物体を含む画像が入力される入力部と、
物体を示す点である物体点を前記入力部によって入力された前記画像中に設定する設定部と、
前記入力部によって入力された前記画像中の物体の存在領域を推定する推定部と、
前記設定部によって設定された前記物体点と、前記推定部によって推定された前記画像中の物体の存在領域と、に基づいて、前記設定部によって設定された前記物体点が示す物体の存在領域を決定する決定部と、
を有する装置。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
自車両の前方に存在する小型電動車両の挙動を認識する車両挙動認識装置であって、
演算処理装置と、前記自車両の前方を撮像する撮像装置とを備え、
前記演算処理装置は、前記撮像装置により撮像された前記小型電動車両の撮像画像において、前記小型電動車両のフェンダよりも上側部分における左側部分および右側部分のそれぞれの面積変化に基づいて前記小型電動車両が左または右に移動を開始したか否かを判断する挙動判断部を有していることを特徴とする車両挙動認識装置。
【請求項２】
前記挙動判断部は、前記撮像装置により撮像された前記小型電動車両の撮像画像において、前記小型電動車両のフェンダよりも上側に位置する左右対称の形状を有する構成要素における左側部分および右側部分のそれぞれの面積変化、または前記小型電動車両のフェンダよりも上側における左右対称の位置に配置された一対の構成要素のそれぞれの面積変化に基づいて前記小型電動車両が左または右に移動を開始したか否かを判断することを特徴とする請求項１に記載の車両挙動認識装置。
【請求項３】
前記小型電動車両のフェンダよりも上側に位置する左右対称の形状を有する前記構成要素は前記小型電動車両のシート、ハンドルまたは荷籠であることを特徴とする請求項２に記載の車両挙動認識装置。
【請求項４】
前記小型電動車両のフェンダよりも上側における左右対称の位置に配置された前記一対の構成要素は前記小型電動車両の一対のアームレスト、一対のハンドルグリップまたは一対のバックミラーであることを特徴とする請求項２に記載の車両挙動認識装置。
【請求項５】
前記演算処理装置は、前記撮像装置により撮像された前記自車両の前方に存在する前記小型電動車両の撮像画像に基づいて前記小型電動車両の向きが前記自車両の向きと同じか逆かを判断する向き判断部をさらに有していることを特徴とする請求項１ないし４のいずれかに記載の車両挙動認識装置。
【請求項６】
前記演算処理装置は、前記撮像装置により撮像された撮像画像に基づいて前記小型電動車両が前記自車両の前方における左側に位置しているか右側に位置しているかを判断する位置判断部をさらに有していることを特徴とする請求項１ないし５のいずれかに記載の車両挙動認識装置。
【請求項７】
前記演算処理装置は、前記自車両の前方の所定距離範囲内に小型電動車両が存在するか否かを判断する存在判断部をさらに備え、
前記所定距離は、前記自車両が安全に停止することができる距離に設定されていることを特徴とする請求項１ないし６のいずれかに記載の車両挙動認識装置。
【請求項８】
前記自車両は自動運転車両であることを特徴とする請求項１ないし７のいずれかに記載の車両挙動認識装置。
【請求項９】
自車両の運転を支援する運転支援装置であって、
前記自車両の前方の所定距離範囲内に存在する小型電動車両が前記自車両の走行している道路の中央側に移動を開始したか否かを認識する車両挙動認識装置と、
前記自車両の前方の前記所定距離範囲内に存在する前記小型電動車両が前記自車両の走行している道路の中央側に移動を開始したことを前記車両挙動認識装置が認識したときに警報を発する警報装置とを備え、
前記車両挙動認識装置は、
演算処理装置と、
前記自車両の前方を撮像する撮像装置とを備え、
前記演算処理装置は、
前記自車両の前方の前記所定距離範囲内に前記小型電動車両が存在するか否かを判断する存在判断部と、
前記撮像装置により撮像された前記小型電動車両の撮像画像に基づいて前記小型電動車両の向きが前記自車両の向きと同じか逆かを判断する向き判断部と、
前記撮像装置により撮像された撮像画像に基づいて前記小型電動車両が前記自車両の前方における左側に位置しているか右側に位置しているかを判断する位置判断部と、
前記撮像装置により撮像された前記小型電動車両の撮像画像において、前記小型電動車両のフェンダよりも上側部分における左側部分および右側部分のそれぞれの面積変化に基づいて前記小型電動車両が左または右に移動を開始したか否かを判断する挙動判断部とを有していることを特徴とする運転支援装置。
【請求項１０】
自車両の運転を支援する運転支援装置であって、
前記自車両の前方の所定距離範囲内に存在する小型電動車両が前記自車両の走行している道路の中央側に移動を開始したか否かを認識する車両挙動認識装置と、
前記自車両の前方の前記所定距離範囲内に存在する前記小型電動車両が前記自車両の走行している道路の中央側に移動を開始したことを前記車両挙動認識装置が認識したときに前記自車両を減速させ、または停止させる走行制御装置とを備え、
前記車両挙動認識装置は、
演算処理装置と、
前記自車両の前方を撮像する撮像装置とを備え、
前記演算処理装置は、
前記自車両の前方の前記所定距離範囲内に前記小型電動車両が存在するか否かを判断する存在判断部と、
前記撮像装置により撮像された前記小型電動車両の撮像画像に基づいて前記小型電動車両の向きが前記自車両の向きと同じか逆かを判断する向き判断部と、
前記撮像装置により撮像された撮像画像に基づいて前記小型電動車両が前記自車両の前方における左側に位置しているか右側に位置しているかを判断する位置判断部と、
前記撮像装置により撮像された前記小型電動車両の撮像画像において、前記小型電動車両のフェンダよりも上側部分における左側部分および右側部分のそれぞれの面積変化に基づいて前記小型電動車両が左または右に移動を開始したか否かを判断する挙動判断部とを有していることを特徴とする運転支援装置。
【手続補正２】
【補正対象書類名】明細書
【補正対象項目名】０００９
【補正方法】変更
【補正の内容】
【０００９】
上記課題を解決するために、本発明の車両挙動認識装置は、自車両の前方に存在する小型電動車両の挙動を認識する車両挙動認識装置であって、演算処理装置と、前記自車両の前方を撮像する撮像装置とを備え、前記演算処理装置は、前記撮像装置により撮像された前記小型電動車両の撮像画像において、前記小型電動車両のフェンダよりも上側部分における左側部分および右側部分のそれぞれの面積変化に基づいて前記小型電動車両が左または右に移動を開始したか否かを判断する挙動判断部を有していることを特徴とする。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
第１ユーザに仮想空間を提供するために第１コンピュータで実行されるプログラムであって、前記プログラムは前記第１コンピュータに、
仮想空間を定義するステップと、
前記第１コンピュータとは異なる他のコンピュータと通信するステップと、
前記第１ユーザが撮影を行うための撮影機能を有するカメラオブジェクトを前記仮想空間に配置するステップと、
前記カメラオブジェクトの撮影範囲に対応する画像を生成するステップと、
前記生成された画像を表す写真オブジェクトを前記仮想空間の集積場所に配置するステップと、
前記集積場所の位置を前記第１ユーザおよび前記他のコンピュータのユーザに通知するステップとを実行させる、プログラム。
【請求項２】
前記通知するステップは、前記画像が生成されたときに、当該画像を表す前記写真オブジェクトを前記カメラオブジェクトの位置から前記集積場所まで移動させることを含む、請求項１に記載のプログラム。
【請求項３】
前記通知するステップは、前記集積場所の周辺に前記集積場所に前記写真オブジェクトが配置されていることを示すアイコンオブジェクトを配置することを含む、請求項１または２に記載のプログラム。
【請求項４】
前記通知するステップは、前記仮想空間における前記第１ユーザまたは前記他のコンピュータのユーザの位置および向きを基準として、前記集積場所の方向を表すオブジェクトを配置することを含む、請求項１〜３のいずれか１項に記載のプログラム。
【請求項５】
前記プログラムは前記第１コンピュータに、
前記第１ユーザの操作に応じて動く操作オブジェクトを前記仮想空間に配置するステップと、
前記操作オブジェクトによる前記写真オブジェクトに対する操作に基づいて、前記写真オブジェクトまたは前記写真オブジェクトが表す画像に対する処理の入力を受け付けるステップとをさらに実行させ、
写真オブジェクトに対する処理は、前記仮想空間から前記写真オブジェクトを削除する処理を含み、
前記写真オブジェクトが表す画像に対する処理は、前記写真オブジェクトが表す画像を編集する処理、前記写真オブジェクトが表す画像を評価する処理、および前記写真オブジェクトが表す画像に含まれる被写体の情報を画像に関連付ける処理のうち少なくともいずれかの処理を含む、請求項１〜４のいずれか１項に記載のプログラム。
【請求項６】
前記プログラムは前記第１コンピュータに、
前記第１ユーザに対応する第１アバターオブジェクトと、前記他のコンピュータのユーザに対応する第２アバターオブジェクトとを前記仮想空間に配置するステップとをさらに実行させ、
前記生成された画像は、前記第１または第２アバターオブジェクトを含み、
前記被写体の情報は、前記生成された画像に含まれる第１または第２アバターオブジェクトに対応するユーザの情報を含む、請求項５に記載のプログラム。
【請求項７】
前記写真オブジェクトはアイコンを含み、
前記写真オブジェクトまたは前記写真オブジェクトが表す画像に対する処理の入力を受け付けることは、前記操作オブジェクトによる前記アイコンに対する操作に基づいて前記処理を受け付けることを含む、請求項５または６に記載のプログラム。
【請求項８】
前記プログラムは前記第１コンピュータに、
前記第１ユーザの操作に応じて動く操作オブジェクトを前記仮想空間に配置するステップと、
前記写真オブジェクトに対する前記操作オブジェクトの操作に基づいて、予め登録されたソーシャルネットワークサービスにアクセスするステップと、
前記写真オブジェクトが表す画像を前記ソーシャルネットワークサービスに投稿するステップとをさらに実行させる、請求項１〜７のいずれか１項に記載のプログラム。
【請求項９】
前記プログラムは前記第１コンピュータに、前記写真オブジェクトを削除する操作を受け付けたことに基づいて、前記写真オブジェクトを前記仮想空間から削除するステップとをさらに実行させ、
前記写真オブジェクトを削除する操作は、前記写真オブジェクトを破壊する操作を含む、請求項５〜７のいずれか１項に記載のプログラム。
【請求項１０】
前記プログラムは前記第１コンピュータに、透明オブジェクトを前記仮想空間に配置するステップをさらに実行させ、
前記画像を生成することは、前記カメラオブジェクトの撮影範囲に前記透明オブジェクトが含まれる場合に、可視化された前記透明オブジェクトを含む画像を生成することを含む、請求項１〜９のいずれか１項に記載のプログラム。
【請求項１１】
前記プログラムは前記第１コンピュータに、
前記他のコンピュータのユーザに対応する第２アバターオブジェクトを前記仮想空間に配置するステップをさらに実行させ、
前記画像を生成することは、前記カメラオブジェクトの撮影範囲に前記第２アバターオブジェクトが含まれる場合に、前記仮想空間に配置されている前記第２アバターオブジェクトの表示態様とは異なる表示態様の前記第２アバターオブジェクトを含む画像を生成することを含む、請求項１〜１０のいずれか１項に記載のプログラム。
【請求項１２】
前記プログラムは前記第１コンピュータに、
前記生成した画像をサーバに送信するステップと、
前記第１ユーザに対応する第１アバターオブジェクトを前記仮想空間に配置するステップと、
前記第１アバターオブジェクトと前記写真オブジェクトとが接触していることを表す情報を前記サーバに送信するステップとをさらに実行させる、請求項１〜１１のいずれか１項に記載のプログラム。
【請求項１３】
請求項１〜１２のいずれか１項に記載のプログラムを格納したメモリと、
前記プログラムを実行するためのプロセッサとを備える、情報処理装置。
【請求項１４】
第１ユーザに仮想空間を提供するために第１コンピュータで実行される方法であって、
仮想空間を定義するステップと、
前記第１コンピュータとは異なる他のコンピュータと通信するステップと、
前記第１ユーザが撮影を行うための撮影機能を有するカメラオブジェクトを前記仮想空間に配置するステップと、
前記カメラオブジェクトの撮影範囲に対応する画像を生成するステップと、
前記生成された画像を表す写真オブジェクトを前記仮想空間の集積場所に配置するステップと、
前記集積場所の位置を前記第１ユーザおよび前記他のコンピュータのユーザに通知するステップとを実行させる、方法。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
プロセスプラント内に含まれるプロセス実体に対応するプロセス制御表示ビュー上にインスタンス化される図形要素オブジェクトを構成するための構成表示ビュー上に提示された構成要素であって、前記構成要素が、
前記プロセスプラントの構成環境内で、前記図形要素オブジェクトの属性に対するプロパティのセットに対応する構成要素オブジェクトのインスタンス化の実行を含み、前記構成要素オブジェクトが、構成可能であり、前記構成要素オブジェクトが、前記構成表示ビューがインスタンス化される構成表示オブジェクトへのリンクを含み、前記構成要素オブジェクトの前記インスタンス化の前記実行が、
前記図形要素オブジェクトの前記属性に対する前記プロパティのセットの視覚表現と、
前記プロパティのセットからの、前記構成要素において構成されたプロパティに対応するデータを送信するための前記図形要素オブジェクトへのリンクであって、前記構成されたプロパティが、前記図形要素の少なくとも１つの構成された属性に対応する、リンクとを含む、構成要素。
【請求項２】
前記構成要素オブジェクトが、前記プロセスプラントの前記構成環境内で構成可能である、請求項１に記載の構成要素。
【請求項３】
前記構成表示オブジェクトが、前記プロパティのセットが前記構成要素オブジェクトに対応するように選択される前記図形要素オブジェクトの前記属性に対する複数のプロパティに対応する、請求項２に記載の構成要素。
【請求項４】
前記構成表示ビューのインスタンス化が、前記構成要素オブジェクトが構成されるときの前記構成要素オブジェクトのインスタンス化のプレビューを含む、請求項２又は３に記載の構成要素。
【請求項５】
前記構成要素オブジェクトの前記インスタンス化の前記構成を記憶することをさらに含み、前記構成が、前記プロパティのセットからの、前記構成要素において構成された前記プロパティの値を含む、請求項２から４の何れか一項に記載の構成要素。
【請求項６】
前記構成表示オブジェクトのインスタンスが、前記図形要素オブジェクトに対する１つ以上の属性の視覚表現を含む、請求項１から５の何れか一項に記載の構成要素。
【請求項７】
前記図形要素オブジェクトに対する前記１つ以上の属性が、形状を含み、前記プロパティのセットが、前記形状の多数の視覚表現を含む、請求項６に記載の構成要素。
【請求項８】
前記プロパティのセットからの前記構成要素内で構成された前記プロパティが、前記図形要素オブジェクトに対する形状のプロパティを含み、前記図形要素オブジェクトに対する前記形状が、前記構成表示ビューの前記インスタンス化において構成される、請求項１から７の何れか一項に記載の構成要素。
【請求項９】
方法であって、
プロセスプラントの構成環境内の構成要素オブジェクトインスタンスにおいて、前記構成環境内の図形要素オブジェクトの少なくとも一部の構成の指標を受信することであって、
前記構成要素オブジェクトインスタンスが、（ｉ）前記プロセスプラントの構成環境において、構成要素オブジェクトから構成され、かつ前記図形要素オブジェクトに対するプロパティのセットを定義し、（ｉｉ）前記構成要素オブジェクトから前記構成環境にインスタンス化され、（ｉｉｉ）前記構成環境内で、構成表示オブジェクトのインスタンスにおいて実行され、前記構成表示オブジェクトインスタンスが、前記図形要素オブジェクトを構成するための複数のプロパティを定義する、受信することと、
前記構成の定義を生成し、前記定義された構成を前記図形要素オブジェクトにリンクし、それによって、前記構成定義を、前記図形要素オブジェクトのインスタンス化で使用させることと、
ランタイム環境内で、前記構成定義を前記図形要素オブジェクトインスタンスの前記少なくとも一部に適用し、それによって、構成された図形要素オブジェクトインスタンスを生成することと、
前記ランタイム環境内で、表示オブジェクトインスタンス内の前記構成された図形要素オブジェクトインスタンスを実行することであって、前記表示オブジェクトインスタンスが、（ｉ）前記構成環境において、表示オブジェクトから構成され、（ｉｉ）前記表示オブジェクトから前記ランタイム環境にインスタンス化され、（ｉｉｉ）前記ランタイム環境内で実行され、それによって、それぞれのプロセス要素にリンクされる、実行することと、を含む、方法。
【請求項１０】
前記構成表示オブジェクトが、前記図形要素オブジェクトに対する複数のプロパティに対応し、前記図形要素オブジェクトに対する前記プロパティのセットが、前記構成要素オブジェクトに対応するように、前記複数のプロパティから選択される、請求項９に記載の方法。
【請求項１１】
前記構成表示オブジェクトが、前記構成要素オブジェクトが構成されるときの前記構成要素オブジェクトのインスタンス化のプレビューを含む、請求項９又は１０に記載の方法。
【請求項１２】
前記図形要素オブジェクトの少なくとも前記一部の構成の指標を受信することが、前記構成要素オブジェクトの前記インスタンス化の記憶された構成を受信することを含み、前記記憶された構成が、前記図形要素オブジェクトに対して、前記プロパティのセットから前記構成要素オブジェクトにおいて構成された前記図形要素オブジェクトに対するプロパティの値を含む、請求項９から１１の何れか一項に記載の方法。
【請求項１３】
前記構成の前記定義を記憶することをさらに含み、前記構成の前記定義が、前記図形要素オブジェクトに対して、前記プロパティのセットからの前記構成要素において構成され
たプロパティの値を含む、請求項９から１２の何れか一項に記載の方法。
【請求項１４】
前記構成の前記定義を生成することが、前記図形要素オブジェクトのプロパティの値を生成することを含む、請求項９から１３の何れか一項に記載の方法。
【請求項１５】
前記構成要素オブジェクトインスタンスが、前記図形要素オブジェクトに対する１つ以上の属性の視覚表現を含む、請求項９から１４の何れか一項に記載の方法。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
ａ）操作オブジェクトと、指示オブジェクトとを含む仮想空間を規定する仮想空間データを生成するステップと、
ｂ）ヘッドマウントデバイスの動きと、前記仮想空間データとに基づいて、前記ヘッドマウントデバイスに表示される視野画像を示す視野画像データを生成するステップと、
ｃ）前記ヘッドマウントデバイスを装着したユーザの頭部以外の身体の一部の動きに応じて、前記操作オブジェクトを動かすステップと、を含み、
前記指示オブジェクトは、
前記操作オブジェクトに視覚的に関連付けられ、前記ユーザの身体の前記一部に誘導動作をさせるように誘導し、
前記指示オブジェクトは、前記仮想空間内に配置されたアバターを含み、
前記アバターの仮想身体の一部が、前記誘導動作を実行させるべき前記ユーザの身体の前記一部に相当する部分を含むことにより、前記アバターは前記操作オブジェクトに視覚的に関連付けられ、
前記部分の動きが誘導動作を実行することにより、前記アバターは前記ユーザの身体の前記一部に前記誘導動作を実行させるように誘導する、
プロセッサによって実行される情報処理方法。
【請求項２】
前記指示オブジェクトは、第２指示オブジェクトをさらに含み、
前記仮想空間は、前記操作オブジェクトと前記第２指示オブジェクトとを視覚的に関連付けるように連結する第１連結オブジェクトをさらに含む、請求項１に記載の情報処理方法。
【請求項３】
ｄ）前記操作オブジェクトの移動に応じて、前記第１連結オブジェクトの視覚的態様を、前記操作オブジェクトと前記第２指示オブジェクトとを視覚的に関連付け続けるように更新するステップをさらに含む、請求項２に記載の情報処理方法。
【請求項４】
前記仮想空間は、
仮想ボタンを有し、前記操作オブジェクトに関連付けられた仮想コントローラと、
前記第２指示オブジェクトと前記仮想ボタンを視覚的に関連付けるように連結する第２連結オブジェクトを更に含む、請求項２又は３に記載の情報処理方法。
【請求項５】
ｅ）前記ユーザの視野の移動に応じて、前記第２指示オブジェクトが前記視野内の所定位置に配置され続けるように前記第２指示オブジェクトを移動させるステップを更に含む、請求項２から４のうちいずれか一項に記載の情報処理方法。
【請求項６】
前記アバターは、前記仮想空間内に固定的に配置される、請求項１から５のうちいずれか一項に記載の情報処理方法。
【請求項７】
前記ユーザの視野内に前記アバターが存在する場合に、前記アバターの背面が前記視野画像上に表示されるように、前記アバターの向きが設定される、請求項１から６のうちいずれか一項に記載の情報処理方法。
【請求項８】
前記アバターは、前記仮想身体のうち前記部分のみが動くように制御される、請求項１から７のうちいずれか一項に記載の情報処理方法。
【請求項９】
前記誘導動作は、第１の動きと第２の動きを含み、
前記ユーザの身体の前記一部は、手と指を含み、
前記アバターは、前記手に前記第１の動きをさせるように誘導し、
前記第２指示オブジェクトは、前記指に前記第２の動きをさせるように誘導し、
ｆ）前記第１の動きに引き続いて実行される前記第２の動きに応じて、前記操作オブジェクトによって操作される対象オブジェクトを生成するステップをさらに含む、請求項２から８のうちいずれか一項に記載の情報処理方法。
【請求項１０】
請求項１から９のうちいずれか一項に記載の情報処理方法をコンピュータに実行させるための情報処理プログラム。
【請求項１１】
プロセッサと、
コンピュータ可読命令を記憶するメモリと、を備えた情報処理装置であって、
前記コンピュータ可読命令が前記プロセッサにより実行されると、前記情報処理装置は請求項１から９のうちいずれか一項に記載の情報処理方法を実行する、情報処理装置。
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
所定の入球口への遊技媒体の入球に基づいて、遊技の進行を制御する主制御手段と、
所定の抽選条件が成立したことに基づいて当落抽選を行う抽選手段と、
前記当落抽選の結果が当りである場合に、当り遊技を実行する当り遊技実行手段と、
演出を実行する演出実行手段と、
前記演出実行手段が実行する演出を表示する演出表示手段と、
操作可能な操作部と、
前記主制御手段から受信したコマンドに基づいて、所定数の遊技媒体の払出制御を行う払出制御手段と、を備える遊技機であって、
前記当り遊技が実行されているときに、特定の入球口への遊技媒体の入球に基づいて遊技媒体の払い出しを行うことが可能であって、
前記演出実行手段は、前記当り遊技において前記特定の入球口への遊技媒体の入球に基づいて前記払出制御手段によって払い出される遊技媒体の数を少なくとも含む、前記払出制御手段によって払い出される遊技媒体の数の合計を示す獲得遊技媒体表示を、前記演出表示手段に表示可能であり、
前記特定の入球口への遊技媒体の入球に基づいて前記獲得遊技媒体表示に対して加算表示される遊技媒体の数と、前記特定の入球口への遊技媒体の入球に基づいて前記払出制御手段によって払い出された遊技媒体の数とが一致する第１状況、および、前記特定の入球口への遊技媒体の入球に基づいて前記獲得遊技媒体表示に対して加算表示される遊技媒体の数と、前記特定の入球口への遊技媒体の入球に基づいて前記払出制御手段によって払い出された遊技媒体の数とが一致しない第２状況があって、
前記操作部に対する操作によって、前記第１状況から前記第２状況へと遷移させることが可能である
ことを特徴とする遊技機。
【手続補正２】
【補正対象書類名】明細書
【補正対象項目名】０００６
【補正方法】変更
【補正の内容】
【０００６】
手段１：所定の入球口への遊技媒体の入球に基づいて、遊技の進行を制御する主制御手段と、
所定の抽選条件が成立したことに基づいて当落抽選を行う抽選手段と、
前記当落抽選の結果が当りである場合に、当り遊技を実行する当り遊技実行手段と、
演出を実行する演出実行手段と、
前記演出実行手段が実行する演出を表示する演出表示手段と、
操作可能な操作部と、
前記主制御手段から受信したコマンドに基づいて、所定数の遊技媒体の払出制御を行う払出制御手段と、を備える遊技機であって、
前記当り遊技が実行されているときに、特定の入球口への遊技媒体の入球に基づいて遊技媒体の払い出しを行うことが可能であって、
前記演出実行手段は、前記当り遊技において前記特定の入球口への遊技媒体の入球に基づいて前記払出制御手段によって払い出される遊技媒体の数を少なくとも含む、前記払出制御手段によって払い出される遊技媒体の数の合計を示す獲得遊技媒体表示を、前記演出表示手段に表示可能であり、
前記特定の入球口への遊技媒体の入球に基づいて前記獲得遊技媒体表示に対して加算表示される遊技媒体の数と、前記特定の入球口への遊技媒体の入球に基づいて前記払出制御手段によって払い出された遊技媒体の数とが一致する第１状況、および、前記特定の入球口への遊技媒体の入球に基づいて前記獲得遊技媒体表示に対して加算表示される遊技媒体の数と、前記特定の入球口への遊技媒体の入球に基づいて前記払出制御手段によって払い出された遊技媒体の数とが一致しない第２状況があって、
前記操作部に対する操作によって、前記第１状況から前記第２状況へと遷移させることが可能である
ことを特徴とする遊技機。
【手続補正３】
【補正対象書類名】明細書
【補正対象項目名】０００７
【補正方法】変更
【補正の内容】
【０００７】
上記構成では、操作部に対する操作によって、獲得遊技媒体表示が示す遊技媒体の数と払出制御手段が払い出した遊技媒体の数とが一致する状況から、獲得遊技媒体表示が示す遊技媒体の数と払出制御手段が払い出した遊技媒体の数とが一致しない状況へと遷移させることができる。
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
所定の抽選条件が成立したことに基づいて当落抽選を行う抽選手段と、
前記抽選手段による前記当落抽選の結果に基づいて、第１当り遊技と、前記第１当り遊技よりも遊技媒体の期待獲得数が少ない第２当り遊技と、を少なくとも含む複数の当り遊技を実行可能な当り遊技実行手段と、
前記当落抽選の結果に基づく演出を実行する演出実行手段と、
前記演出実行手段が実行する演出を表示する演出表示手段と、を備える遊技機であって、
遊技者にとって有利な状態に制御されることを示す祝福画像が、前記第１当り遊技が実行されるときに前記演出表示手段に表示されることはなく、前記第２当り遊技が実行されるときに前記演出表示手段に表示可能である
ことを特徴とする遊技機。
【手続補正２】
【補正対象書類名】明細書
【補正対象項目名】０００６
【補正方法】変更
【補正の内容】
【０００６】
手段１：所定の抽選条件が成立したことに基づいて当落抽選を行う抽選手段と、
前記抽選手段による前記当落抽選の結果に基づいて、第１当り遊技と、前記第１当り遊技よりも遊技媒体の期待獲得数が少ない第２当り遊技と、を少なくとも含む複数の当り遊技を実行可能な当り遊技実行手段と、
前記当落抽選の結果に基づく演出を実行する演出実行手段と、
前記演出実行手段が実行する演出を表示する演出表示手段と、を備える遊技機であって、
遊技者にとって有利な状態に制御されることを示す祝福画像が、前記第１当り遊技が実行されるときに前記演出表示手段に表示されることはなく、前記第２当り遊技が実行されるときに前記演出表示手段に表示可能である
ことを特徴とする遊技機。
【手続補正３】
【補正対象書類名】明細書
【補正対象項目名】０００７
【補正方法】変更
【補正の内容】
【０００７】
上記構成では、遊技者にとって有利な状態に制御されることを示す祝福画像が、第１当り遊技が実行されるときに前記演出表示手段に表示されることはなく、第１当り遊技よりも遊技媒体の期待獲得数が少ない第２当り遊技が実行されるときに前記演出表示手段に表示可能である。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
ゲームに関連する配出物を配出するための配出機構であって、
前記配出物を収容する収容部と、
前記収容部を設け、動作可能に構成された第１の動作部と、
前記収容部から配出される配出物を保持し、動作可能に構成された第２の動作部と、
前記第１の動作部に設けられ、前記配出物を押し出すための押出機構と、を含み、
前記第１の動作部は、前記第２の動作部に対して動作することを特徴とする配出機構。
【請求項２】
前記第１の動作部は、円盤状に形成されている請求項１に記載の配出機構。
【請求項３】
前記第１の動作部は、回転するように構成されている請求項１または２に記載の配出機構。
【請求項４】
前記収容部は、複数の収容部を含む請求項１ないし３のいずれかに記載の配出機構。
【請求項５】
前記複数の収容部は、前記第１の動作部上に円環状に設けられている請求項４に記載の配出機構。
【請求項６】
前記収容部の底板部は、前記第１の動作部に対して角度付けされている請求項１ないし５のいずれかに記載の配出機構。
【請求項７】
前記第２の動作部は、前記第１の動作部を囲むように設けられている請求項１ないし６のいずれかに記載の配出機構。
【請求項８】
前記第２の動作部は、前記配出物を保持するための配出候補保持部を含む請求項６に記載の配出機構。
【請求項９】
前記配出候補保持部は、複数の保持板を含み、
前記複数の保持板のそれぞれは、前記底板部の前記角度に対応するように角度付けされている請求項８に記載の配出機構。
【請求項１０】
前記押出機構の一部は、前記複数の収容部の間に設けられている請求項４または５に記載の配出機構。
【請求項１１】
前記押出機構は、前記収容部に収容された前記配出物を前記第２の動作部に押し出すための第１の押出部と、前記第２の動作部に保持された前記配出物を押し出すための第２の押出部とを含む請求項１ないし１０のいずれかに記載の配出機構。
【請求項１２】
前記第２の押出部は、前記第１の動作部において互いに離間して設けられた一対の押出部であり、前記第１の押出部は、前記一対の押出部の間に設けられる請求項１１に記載の配出機構。
【請求項１３】
ゲームに関連する所定の画像を表示する表示部と、
ユーザーから操作入力を受ける操作部と、
前記操作入力に基づいて、前記ゲームに関連する前記配出物を配出する請求項１ないし１２のいずれかに記載の前記配出機構と、を備えることを特徴とするゲーム装置。
【請求項１４】
ゲームに関連する所定の画像を表示する表示部と、
ユーザーから操作入力を受ける操作部と、
前記操作入力に基づいて、前記ゲームに関連する配出物を配出する配出機構と、を含み、
前記配出機構は、
前記ゲームに関連する前記配出物を収容する収容部と、
前記収容部を設け、動作可能に構成された第１の動作部と、
前記収容部から配出される前記配出物を保持し、動作可能に構成された第２の動作部と、
前記第１の動作部に設けられ、前記配出物を押し出すための押出機構と、を含み、
前記第１の動作部は、前記第２の動作部に対して動作するように構成されており、
前記配出物は、前記ユーザーに関連する情報を記憶する配出物を含むことを特徴とするゲーム装置。
【手続補正書】
【提出日】令和3年6月21日(2021.6.21)
【手続補正１】
【補正対象書類名】明細書
【補正対象項目名】０００５
【補正方法】変更
【補正の内容】
【０００５】
以上の課題を解決するため、請求項１に記載の発明は、
始動条件の成立に基づきゲームを実行し、当該ゲームの結果が特別結果となった場合に遊技者に遊技価値を付与する特別遊技状態を発生可能な遊技機において、
遊技を制御する遊技制御手段と、
遊技の演出を制御する演出制御手段と、
遊技球の入賞により前記始動条件が成立する普通変動入賞装置と、を備え、
前記遊技制御手段は、
通常遊技状態と、当該通常遊技状態よりも前記普通変動入賞装置への入賞が容易な特定遊技状態と、前記特別遊技状態と、を発生可能であり、
前記ゲームの実行回数が所定回数に達した場合に、前記特別遊技状態を発生せずに前記特定遊技状態を発生可能であり、
前記演出制御手段は、電源投入後に規定回数目となる前記ゲームの実行中において、前記ゲームの実行回数に関する情報を示唆する示唆演出を実行可能であることを特徴とする。
【手続補正２】
【補正対象書類名】特許請求の範囲
【補正対象項目名】全文
【補正方法】変更
【補正の内容】
【特許請求の範囲】
【請求項１】
始動条件の成立に基づきゲームを実行し、当該ゲームの結果が特別結果となった場合に遊技者に遊技価値を付与する特別遊技状態を発生可能な遊技機において、
遊技を制御する遊技制御手段と、
遊技の演出を制御する演出制御手段と、
遊技球の入賞により前記始動条件が成立する普通変動入賞装置と、を備え、
前記遊技制御手段は、
通常遊技状態と、当該通常遊技状態よりも前記普通変動入賞装置への入賞が容易な特定遊技状態と、前記特別遊技状態と、を発生可能であり、
前記ゲームの実行回数が所定回数に達した場合に、前記特別遊技状態を発生せずに前記特定遊技状態を発生可能であり、
前記演出制御手段は、電源投入後に規定回数目となる前記ゲームの実行中において、前記ゲームの実行回数に関する情報を示唆する示唆演出を実行可能であることを特徴とする遊技機。
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
容器（２）及び取っ手（３）を備える台所器具において、前記容器（２）の外側上部外周は、前記取っ手（３）のラッチングタブ（６）のフック形状の端部（９）との係合及び前記フック形状の端部（９）の受容のための少なくとも１つの開口（９）を備える、延在する保持ブラケット（５）又はラグを保持し、前記取っ手は、同様に、ラッチ（１０）を保持し、前記ラッチ（１０）は、摺動可能に取り付けられ、少なくともアンロック位置と、戻り手段（１２）の動作下で前記ラッチ（１０）が押し戻されるロック位置（１１）と、をとることができ、前記ラッチングタブ（６）に対して反対側（１４）で、前記容器（２）の前記保持ブラケット（５）の下に延在する、台所器具であって、前記ラッチ（１０）は、前記保持ブラケット（５）の平面（２３）に対して鋭角（２２）を形成する方向（２１）に、前記取っ手（３）上に摺動可能に取り付けられて、前記保持ブラケット（５）から分離されたアンロック位置から、前記ロック位置（１１）に対する前記戻り手段（１２）の前記動作下で前記保持ブラケット（５）に対して直接締め付けることを特徴と、台所器具。
【請求項２】
前記取っ手（３）の前記ラッチングタブ（６）の前記フック形状の端部（９）、及び／又は、前記フック形状の端部（９）を受容するための前記保持ブラケット（５）内の前記開口（８）は、前記フック形状の端部（９）と前記開口（８）との間の機能上の遊びを吸収できる変形可能減衰要素（２８）を備える、請求項１に記載の台所器具。
【請求項３】
端部（１３）において、前記ラッチ（１０）は、前記取っ手（３）の前記ラッチングタブ（６）に向かって前記保持ブラケット（５）を押し戻す間に前記保持ブラケット（５）と協働することを意図される軸受表面（２４）を含み、前記軸受表面（２４）は、前記ロック位置（１１）において、前記保持ブラケット（５）とのアンダーカット角度（２５）を形成する、請求項１又は２に記載の台所器具。
【請求項４】
前記ラッチ（１０）は、前記ラッチングタブ（６）内の開口の形態のハウジング（１７）内に摺動可能に取り付けられる間に、前記ラッチングタブ（６）の下に延在する、請求項１から３のいずれか１項に記載の台所器具。
【請求項５】
前記戻り手段（１２）は弾性タイプである、請求項１から４のいずれか１項に記載の台所器具。
【請求項６】
前記ラッチ（１０）は、前記ラッチングタブ（６）内の前記ハウジング（１７）を通して延在する本体を含み、制御ボタン（１８）は、前記本体に留められ、断熱材料から作られることを特徴とする、請求項５に記載の台所器具。
【請求項７】
前記弾性タイプの前記戻り手段（１２）は、前記ラッチ（１０）と前記ハウジング（１７）内に配置される停止部（２０）との間に挿入される間に、前記ハウジング（１７）内に実質的に位置決めされるバネ（１９）の形態をとって、前記ラッチ（１０）を前記ロック位置（１１）に戻す機能を実施する、請求項５又は６に記載の台所器具。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
第１の情報と、第２の情報を受信する上位層処理部と、
チャネル状態情報リクエストフィールドを含む下りリンク制御情報を物理下りリンク制御チャネルを介して受信する受信部と、
前記ャネル状態情報リクエストフィールドに基づいて、チャネル状態情報報告を送信する送信部と、
を備え、
前記第１の情報は複数のチャネル状態情報トリガ状態を示し、
前記第２の情報は、前記下りリンク制御情報における前記チャネル状態情報リクエストフィールドのサイズＮＴＳを示し、
前記複数のＣＳＩトリガ状態の量が２＾（ＮＴＳ）−１より大きい場合、前記チャネル状態情報リクエストフィールドのコードポイントのそれぞれは、前記チャネル状態情報トリガ状態の一つにマップされ、前記チャネル状態情報トリガ状態の一つは、前記端末装置のＭＡＣ処理部によって選択され、
前記複数のチャネル状態情報トリガ状態の量が２＾（ＮＴＳ）−１以下の場合、前記チャネル状態情報リクエストフィールドは前記複数のチャネル状態情報トリガ状態のうちの一つを直接示す、
端末装置。
【請求項２】
前記ＭＡＣ処理部は、前記チャネル状態情報トリガ状態の選択の指示を示し、
前記指示において、「１」に対応する１つの前記チャネル状態情報トリガ状態は、前記チャネル状態情報リクエストフィールドにおけるコードポイントにマップされる、
請求項１に記載の端末装置。
【請求項３】
端末装置に用いられる通信方法であって、前記端末装置のコンピュータが、
第１の情報と、第２の情報を受信する上位層処理過程と、
チャネル状態情報リクエストフィールドを含む下りリンク制御情報を物理下りリンク制御チャネルを介して受信する受信過程と、
前記ャネル状態情報リクエストフィールドに基づいて、チャネル状態情報報告を送信する送信過程と、
を有し、
前記第１の情報は複数のチャネル状態情報トリガ状態を示し、
前記第２の情報は、前記下りリンク制御情報における前記チャネル状態情報リクエストフィールドのサイズＮＴＳを示し、
前記複数のＣＳＩトリガ状態の量が２＾（ＮＴＳ）−１より大きい場合、前記チャネル状態情報リクエストフィールドのコードポイントのそれぞれは、前記チャネル状態情報トリガ状態の一つにマップされ、前記チャネル状態情報トリガ状態の一つは、前記端末装置のＭＡＣ処理過程によって選択され、
前記複数のチャネル状態情報トリガ状態の量が２＾（ＮＴＳ）−１以下の場合、前記チャネル状態情報リクエストフィールドは前記複数のチャネル状態情報トリガ状態のうちの一つを直接示す、
通信方法。
【請求項４】
第１の情報と、第２の情報を送信する上位層処理部と、
チャネル状態情報リクエストフィールドを含む下りリンク制御情報を物理下りリンク制御チャネルを介して送信する送信部と、
前記ャネル状態情報リクエストフィールドに基づいて、チャネル状態情報報告を受信する受信部と、
を備え、
前記第１の情報は複数のチャネル状態情報トリガ状態を示し、
前記第２の情報は、前記下りリンク制御情報における前記チャネル状態情報リクエストフィールドのサイズＮＴＳを示し、
前記複数のＣＳＩトリガ状態の量が２＾（ＮＴＳ）−１より大きい場合、前記チャネル状態情報リクエストフィールドのコードポイントのそれぞれは、前記チャネル状態情報トリガ状態の一つにマップされ、前記チャネル状態情報トリガ状態の一つは、端末装置によって選択され、
前記複数のチャネル状態情報トリガ状態の量が２＾（ＮＴＳ）−１以下の場合、前記チャネル状態情報リクエストフィールドは前記複数のチャネル状態情報トリガ状態のうちの一つを直接示す、
基地局装置。
【請求項５】
基地局装置に用いられる通信方法であって、前記基地局装置のコンピュータが、
第１の情報と、第２の情報を送信する上位層処理過程と、
チャネル状態情報リクエストフィールドを含む下りリンク制御情報を物理下りリンク制御チャネルを介して送信する送信過程と、
前記ャネル状態情報リクエストフィールドに基づいて、チャネル状態情報報告を受信する受信過程と、
を有し、
前記第１の情報は複数のチャネル状態情報トリガ状態を示し、
前記第２の情報は、前記下りリンク制御情報における前記チャネル状態情報リクエストフィールドのサイズＮＴＳを示し、
前記複数のＣＳＩトリガ状態の量が２＾（ＮＴＳ）−１より大きい場合、前記チャネル状態情報リクエストフィールドのコードポイントのそれぞれは、前記チャネル状態情報トリガ状態の一つにマップされ、前記チャネル状態情報トリガ状態の一つは、端末装置によって選択され、
前記複数のチャネル状態情報トリガ状態の量が２＾（ＮＴＳ）−１以下の場合、前記チャネル状態情報リクエストフィールドは前記複数のチャネル状態情報トリガ状態のうちの一つを直接示す、
通信方法。